(57)【要約】【課題】撮影編集装置にて作成された画像をユーザに提供するサービスの会員数の増加の可能性を向上させる。【解決手段】撮影編集装置が作成した画像および音声のデータを記憶する記憶部（４０２）と、上記ユーザが上記サービスの会員および非会員の何れであるかを判断し、上記ユーザが上記非会員であると判断した場合、上記音声のデータを提供することを制限するウェブページ作成部（４１３）と、を備える。【選択図】図１
2015207114.tif 000002
【特許請求の範囲】
【請求項１】
ユーザの端末装置および撮影編集装置と通信ネットワークを介して接続し、該端末装置にて再生可能なデータを提供するサービスを行う提供手段を備えるサーバであって、
上記撮影編集装置が作成した画像および音声の上記データを記憶する記憶部と、
上記ユーザが上記サービスの会員および非会員の何れであるかを判断する判断手段と、
上記ユーザが上記非会員であると上記判断手段が判断した場合、上記提供手段が上記音声のデータを提供することを制限する制限手段と、を備えることを特徴とするサーバ。
【請求項２】
上記判断手段は、さらに、上記ユーザが上記サービスの無料会員および有料会員の何れであるかを判断しており、
上記制限手段は、上記ユーザが上記非会員、上記無料会員、および上記有料会員の順で、上記制限を緩和することを特徴とする請求項１に記載のサーバ。
【請求項３】
上記記憶部は、上記撮影編集装置が提供する識別情報であって、上記音声のデータに関連付けられた識別情報を記憶しており、
上記端末装置から該識別情報を取得する取得手段をさらに備えており、
上記提供手段は、上記取得手段が取得した識別情報に関連付けられた上記音声のデータを当該端末装置に提供することを特徴とする請求項１または２に記載のサーバ。
【請求項４】
ユーザの端末装置および撮影編集装置と通信ネットワークを介して接続し、該端末装置にて再生可能なデータを提供するサービスを行う提供手段を備えるサーバであって、
上記撮影編集装置が作成した画像および音声の上記データと、上記撮影編集装置が提供する識別情報であって、上記音声のデータに関連付けられた識別情報とを記憶する記憶部と、
上記端末装置から該識別情報を取得する取得手段と、を備えており、
上記提供手段は、上記取得手段が取得した識別情報に関連付けられた上記音声のデータを当該端末装置に提供することを特徴とするサーバ。
【請求項５】
上記取得手段は、上記端末装置から上記識別情報を、当該撮影編集装置を識別する装置識別情報と共に取得することを特徴とする請求項３または４に記載のサーバ。
【請求項６】
ユーザの端末装置および撮影編集装置と通信ネットワークを介して接続し、該端末装置にて再生可能なデータを提供するサービスを行う提供手段を備えるサーバであって、
上記撮影編集装置が作成した画像の上記データと、上記撮影編集装置が提供する識別情報であって、上記画像のデータに関連付けられた識別情報とを記憶する記憶部と、
上記端末装置から該識別情報を取得する取得手段と、を備えており、
上記提供手段は、上記取得手段が取得した識別情報に関連付けられた上記画像のデータを当該端末装置に提供しており、
上記取得手段は、上記端末装置から上記識別情報を、当該撮影編集装置を識別する装置識別情報と共に取得することを特徴とするサーバ。
【請求項７】
上記提供手段は、上記識別情報による上記データの提供を行った後は、当該識別情報による当該データの提供を行わないことを特徴とする請求項５または６に記載のサーバ。
【請求項８】
上記提供手段は、上記取得手段が上記識別情報を取得してから所定期間が経過した後は、当該識別情報による上記データの提供を行わないことを特徴とする請求項５から７の何れか１項に記載のサーバ。
【請求項９】
サーバと通信ネットワークを介して接続した端末装置であって、
情報を記憶する記憶部と、
音声を出力する音声出力部と、
撮影編集装置が作成した画像および音声のデータのうち、少なくとも音声のデータを、上記サーバから上記通信ネットワークを介して取得する取得手段と、
該取得手段が取得した音声のデータに基づいて、当該音声を出力するように上記音声出力部を制御する音声出力制御手段とを備え、
上記取得手段は、取得した音声のデータを上記記憶部に保存することを禁止することを特徴とする端末装置。
【請求項１０】
ユーザの端末装置および撮影編集装置と通信ネットワークを介して接続し、該端末装置にて再生可能なデータを提供するサービスを行うサーバの制御方法であって、
上記ユーザが上記サービスの会員および非会員の何れであるかを判断する判断ステップと、
上記ユーザが上記非会員であると上記判断ステップにて判断された場合、上記撮影編集装置が作成した画像および音声の上記データを記憶する記憶部から上記音声のデータを提供することを制限する制限ステップと、を含むことを特徴とするサーバの制御方法。
【請求項１１】
ユーザの端末装置および撮影編集装置と通信ネットワークを介して接続し、該端末装置にて再生可能なデータを提供するサービスを行うサーバの制御方法であって、
上記撮影編集装置が提供する識別情報を上記端末装置から取得する取得ステップと、
上記撮影編集装置が作成した画像および音声の上記データを記憶する記憶部から、上記取得ステップにて取得された識別情報に関連付けられた上記音声のデータを当該端末装置に提供する提供ステップと、を含むことを特徴とするサーバの制御方法。
【請求項１２】
ユーザの端末装置および撮影編集装置と通信ネットワークを介して接続し、該端末装置にて再生可能なデータを提供するサービスを行うサーバの制御方法であって、
上記撮影編集装置が提供する識別情報を、当該撮影編集装置を識別する装置識別情報と共に、上記端末装置から取得する取得ステップと、
上記取得ステップにて取得された上記装置識別情報の撮影編集装置が作成した画像の上記データを記憶する記憶部から、上記取得ステップにて取得された識別情報に関連付けられた上記画像のデータを当該端末装置に提供する提供ステップと、を含むことを特徴とするサーバの制御方法。
【請求項１３】
サーバと通信ネットワークを介して接続した端末装置の制御方法であって、
撮影編集装置が作成した画像および音声のデータのうち、少なくとも音声のデータを、上記サーバから上記通信ネットワークを介して取得する取得ステップと、
該取得ステップにて取得された音声のデータに基づいて、当該音声を出力するように音声出力部を制御する音声出力制御ステップと、を含んでおり、
上記取得ステップでは、取得された音声のデータを記憶部に保存することを禁止することを特徴とする端末装置の制御方法。
【請求項１４】
請求項１から８のいずれか１項に記載のサーバとしてコンピュータを機能させるための制御プログラムであって、コンピュータを上記各手段として機能させるための制御プログラム。
【請求項１５】
請求項９に記載の端末装置としてコンピュータを機能させるための制御プログラムであって、コンピュータを上記各手段として機能させるための制御プログラム。
【請求項１６】
請求項１４または１５に記載の制御プログラムを記録したコンピュータ読み取り可能な記録媒体。
【発明の詳細な説明】
【技術分野】
【０００１】
本発明は、サーバおよびその制御方法、端末装置およびその制御方法、制御プログラム、並びに記録媒体に関する。
【背景技術】
【０００２】
近年の写真シール作成装置には、作成された画像をシール紙に印刷する機能の他に、該画像を管理サーバに送信する機能を有したものが多い。例えば、特許文献１に記載されているように、上記管理サーバは、ユーザの所有する携帯端末に上記画像を送信し表示させることによって上記画像をユーザに提供するサービスを行う。これにより、ユーザは、自身の携帯端末を操作して、上記管理サーバに保存された画像をダウンロードし、携帯端末の画面に表示して楽しむことができる。
【先行技術文献】
【特許文献】
【０００３】
【特許文献１】特開２０１０−００９２５０号公報（２０１０年０１月１４日公開）
【特許文献２】特開２０１２−２５３７８５号公報（２０１２年１２月２０日公開）
【特許文献３】特開２０１０−００４８９８号公報（２０１０年０１月１４日公開）
【発明の概要】
【発明が解決しようとする課題】
【０００４】
上記サービスを提供する事業者は、当該サービスの会員数の増加を望んでいる。なぜならば、上記会員数が増加すれば、上記管理サーバへのアクセス数が増加し、上記管理サーバの価値が向上することが予想されるからである。
【０００５】
本発明は、上記の問題点を鑑みてなされたものであり、その目的は、撮影編集装置にて作成された画像をユーザに提供するサービスの会員数の増加を図るサーバなどを提供することにある。
【課題を解決するための手段】
【０００６】
上記の課題を解決するために、本発明に係るサーバは、ユーザの端末装置および撮影編集装置と通信ネットワークを介して接続し、該端末装置にて再生可能なデータを提供するサービスを行う提供手段を備えるサーバであって、上記撮影編集装置が作成した画像および音声の上記データを記憶する記憶部と、上記ユーザが上記サービスの会員および非会員の何れであるかを判断する判断手段と、上記ユーザが上記非会員であると上記判断手段が判断した場合、上記提供手段が上記音声のデータを提供することを制限する制限手段と、を備えている。
【０００７】
また、上記の課題を解決するために、本発明に係るサーバの制御方法は、ユーザの端末装置および撮影編集装置と通信ネットワークを介して接続し、該端末装置にて再生可能なデータを提供するサービスを行うサーバの制御方法であって、上記ユーザが上記サービスの会員および非会員の何れであるかを判断する判断ステップと、上記ユーザが上記非会員であると上記判断ステップにて判断された場合、上記撮影編集装置が作成した画像および音声の上記データを記憶する記憶部から上記音声のデータを提供することを制限する制限ステップと、を含むことを特徴としている。
【０００８】
上記の構成および方法によれば、上記サービスの非会員であるユーザは、該ユーザの端末にて上記音声の再生が制限されることになる。従って、上記音声を聴取することを希望するユーザは、上記会員になる可能性が高く、その結果、上記会員数を増加させることができる。
【０００９】
なお、上記制限の例としては、音声を再生できないようにしたり、音声を再生できる回数、期間などを制限したり、再生できる音声の種類を制限したりすることが挙げられる。また、上記制限は、上記記憶部において利用可能な容量、すなわち、上記記憶部において読み取りおよび／または書き込みが可能な容量をユーザごとに制限することによって実現してもよい。この場合、ユーザごとに利用可能な容量は、音声の録音可能な時間および／または再生可能な時間として定めてもよい。
【００１０】
また、上記制限は、上記音声のデータの提供を行う際の品質（例えば音声データの再生のためのビットレート）を制御することによって実現してもよい。具体的には、会員に対しては明瞭な音声を出力することによって音声データの提供を行う一方、非会員に対しては不明瞭な（こもった）音声を出力することによって、音声データの提供を行ってもよい。また、会員に対して、非会員よりも高画質な画像を提供してもよい。
【００１１】
また、本発明に係るサーバでは、上記判断手段は、さらに、上記ユーザが上記サービスの無料会員および有料会員の何れであるかを判断しており、上記制限手段は、上記ユーザが上記非会員、上記無料会員、および上記有料会員の順で、上記制限を緩和してもよい。
【００１２】
上記の構成によれば、上記ユーザが上記非会員、上記無料会員、および上記有料会員の順で、上記制限が緩和されるので、上記音声を聴取することを希望するユーザは、上記有料会員になる可能性が高く、その結果、上記有料会員の会員数を増加させることができる。これにより、上記サービスによる収益が増大する。
【００１３】
また、本発明に係るサーバでは、上記記憶部は、上記撮影編集装置が提供する識別情報であって、上記音声のデータに関連付けられた識別情報を記憶しており、上記端末装置から該識別情報を取得する取得手段をさらに備えており、上記提供手段は、上記取得手段が取得した識別情報に関連付けられた上記音声のデータを当該端末装置に提供してもよい。
【００１４】
また、本発明に係るサーバは、ユーザの端末装置および撮影編集装置と通信ネットワークを介して接続し、該端末装置にて再生可能なデータを提供するサービスを行う提供手段を備えるサーバであって、上記撮影編集装置が作成した画像および音声の上記データと、上記撮影編集装置が提供する識別情報であって、上記音声のデータに関連付けられた識別情報とを記憶する記憶部と、上記端末装置から該識別情報を取得する取得手段と、を備えており、上記提供手段は、上記取得手段が取得した識別情報に関連付けられた上記音声のデータを当該端末装置に提供することを特徴としている。
【００１５】
また、本発明に係るサーバの制御方法は、ユーザの端末装置および撮影編集装置と通信ネットワークを介して接続し、該端末装置にて再生可能なデータを提供するサービスを行うサーバの制御方法であって、上記撮影編集装置が提供する識別情報を上記端末装置から取得する取得ステップと、上記撮影編集装置が作成した画像および音声の上記データを記憶する記憶部から、上記取得ステップにて取得された識別情報に関連付けられた上記音声のデータを当該端末装置に提供する提供ステップと、を含むことを特徴としている。
【００１６】
上記の構成および方法によれば、上記ユーザは、上記撮影編集装置にて提供された識別情報を、上記端末装置から上記サーバに送信することにより、当該識別情報に関連付けられた音声のデータを上記サーバから上記端末装置に受信することができる。従って、上記ユーザは、上記端末装置にて、上記音声を再生することができる。
【００１７】
これにより、上記音声の聴取を希望する人は、当該音声に関連付けられた識別情報を、上記ユーザから直接的または間接的に取得することにより、当該音声を聴取することができる。その結果、上記サーバへのアクセス数が増加し、上記サーバの価値が向上することになる。なお、上記識別情報の例としては、上記画像を識別するための画像識別情報、上記撮影編集装置が上記画像を印刷したシールを識別するためのシール識別情報などが挙げられる。また、上記識別情報による上記音声のデータの提供は、会員のみが利用できるように制限してもよい。
【００１８】
また、本発明に係るサーバでは、上記取得手段は、上記端末装置から上記識別情報を、当該撮影編集装置を識別する装置識別情報と共に取得してもよい。
【００１９】
また、本発明に係るサーバは、ユーザの端末装置および撮影編集装置と通信ネットワークを介して接続し、該端末装置にて再生可能なデータを提供するサービスを行う提供手段を備えるサーバであって、上記撮影編集装置が作成した画像の上記データと、上記撮影編集装置が提供する識別情報であって、上記画像のデータに関連付けられた識別情報とを記憶する記憶部と、上記端末装置から該識別情報を取得する取得手段と、を備えており、上記提供手段は、上記取得手段が取得した識別情報に関連付けられた上記画像のデータを当該端末装置に提供しており、上記取得手段は、上記端末装置から上記識別情報を、当該撮影編集装置を識別する装置識別情報と共に取得することを特徴としている。
【００２０】
また、本発明に係るサーバの制御方法は、ユーザの端末装置および撮影編集装置と通信ネットワークを介して接続し、該端末装置にて再生可能なデータを提供するサービスを行うサーバの制御方法であって、上記撮影編集装置が提供する識別情報を、当該撮影編集装置を識別する装置識別情報と共に、上記端末装置から取得する取得ステップと、上記取得ステップにて取得された上記装置識別情報の撮影編集装置が作成した画像の上記データを記憶する記憶部から、上記取得ステップにて取得された識別情報に関連付けられた上記画像のデータを当該端末装置に提供する提供ステップと、を含むことを特徴としている。
【００２１】
上記の構成および方法によれば、上記識別情報は、ある撮影編集装置が作成した複数のデータを識別するものであればよいので、全ての撮影編集装置が作成した多数のデータを識別するための識別情報に比べて短くて済む。その結果、ユーザが上記識別情報を入力する手間を軽減することができる。
【００２２】
なお、上記取得手段が上記端末装置から上記識別情報を上記装置識別情報と共に取得するには下記の手法が考えられる。
【００２３】
すなわち、上記サーバはインスタントメッセンジャのアカウントを上記撮影編集装置ごとに有しており、上記取得手段は、上記端末装置から上記インスタントメッセンジャを介して上記識別情報を取得することが考えられる。この場合、上記取得手段は、上記識別情報の送信先のアカウントを取得でき、該アカウントが上記装置識別情報となる。
【００２４】
また、上記サーバは、上記データを提供するためのサイトを上記撮影編集装置ごとに有しており、上記取得手段は、上記端末装置から上記サイトを介して上記識別情報を取得することが考えられる。この場合、上記取得手段は、上記識別情報の送信先のサイトを取得でき、該サイトが上記装置識別情報となる。
【００２５】
ところで、上記識別情報が短いと、該識別情報に関連付けられた上記データに第三者が容易にアクセスできる虞がある。
【００２６】
そこで、本発明に係るサーバでは、上記提供手段は、上記識別情報による上記データの提供を行った後は、当該識別情報による当該データの提供を行わなくてもよい。具体的には、上記提供手段が上記識別情報による上記データの提供を行った後に、該データおよび当該識別情報の少なくとも一方を上記記憶部から削除する、当該識別情報が使用不可である旨を示すフラグを立てる、などを行えばよい。上記の構成によれば、一度利用された識別情報は再利用できないので、上記の問題点を回避することができる。
【００２７】
或いは、本発明に係るサーバでは、上記提供手段は、上記取得手段が上記識別情報を取得してから所定期間（例えば１時間、１分間など）が経過した後は、当該識別情報による上記データの提供を行わないようにしてもよい。具体的には、上記取得手段が上記識別情報を取得してから所定期間が経過した後に、上述と同様の処理を行えばよい。
【００２８】
上記の構成によれば、上記識別情報を利用できる期間が限定されるので、上記の問題点を回避することができる。さらに、上記所定期間から十分に長い期間（例えば、１週間、１日など）が経過した後は、利用済みの識別情報を再び利用しても、上記問題点が発生する可能性が低くなる。従って、識別情報というリソースを有効に利用することができる。
【００２９】
本発明に係る端末装置は、サーバと通信ネットワークを介して接続した端末装置であって、情報を記憶する記憶部と、音声を出力する音声出力部と、撮影編集装置が作成した画像および音声のデータのうち、少なくとも音声のデータを、上記サーバから上記通信ネットワークを介して取得する取得手段と、該取得手段が取得した音声のデータに基づいて、当該音声を出力するように上記音声出力部を制御する音声出力制御手段とを備え、上記取得手段は、取得した音声のデータを上記記憶部に保存することを禁止することを特徴としている。
【００３０】
また、本発明に係る端末装置の制御方法は、サーバと通信ネットワークを介して接続した端末装置の制御方法であって、撮影編集装置が作成した画像および音声のデータのうち、少なくとも音声のデータを、上記サーバから上記通信ネットワークを介して取得する取得ステップと、該取得ステップにて取得された音声のデータに基づいて、当該音声を出力するように音声出力部を制御する音声出力制御ステップと、を含んでおり、上記取得ステップでは、取得された音声のデータを記憶部に保存することを禁止することを特徴としている。
【００３１】
上記の構成および方法によれば、撮影編集装置にて作成され、サーバから通信ネットワークを介して取得した音声のデータを記憶部に保存することを禁止している。このため、ユーザは、上記サーバに保存された音声の聴取を希望する場合、端末装置から上記サーバにアクセスする必要がある。その結果、上記サーバへのアクセス数が増加し、上記サーバの価値が向上することになる。
【００３２】
本発明の各態様に係るサーバおよび端末装置は、コンピュータによって実現してもよく、この場合には、コンピュータを上記サーバサーバおよび端末装置が備える各手段として動作させることによって上記サーバおよび端末装置をコンピュータにて実現させるサーバの制御プログラム、およびそれを記録したコンピュータ読み取り可能な記録媒体も、本発明の範疇に入る。
【発明の効果】
【００３３】
本発明は、撮影編集装置にて作成された画像をユーザに提供するサービスの会員数の増加の可能性を向上させるという効果を奏する。
【図面の簡単な説明】
【００３４】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムに含まれる携帯端末における画像表示および音声再生に関する一連の処理の流れの一例を示すシーケンス図である。
【図１７】本発明の第１実施形態に係る携帯端末における画像表示および音声再生に係る一連の処理において携帯端末の表示部に表示されるウェブページの一例を示す図である。
【図１８】本発明の第２実施形態に係る管理サーバの要部構成を示すブロック図である。
【図１９】本発明の第２実施形態において、会員種別に応じて関連音声を再生するためのリンク画像の生成を制御する一連の処理を示すフローチャートである。
【図２０】本発明の第３実施形態に係る管理サーバの要部構成を示すブロック図である。
【図２１】本発明の第３実施形態に係る撮影画像管理システムにおける写真撮影から管理サーバへ撮影した画像に係る情報を送受信するまでの一連の処理の流れの一例を示すシーケンス図である。
【図２２】本発明の第３実施形態に係る撮影画像管理システムにおける携帯端末へ画像保存用ウェブページを表示させるための一連の処理の流れの一例を示すシーケンス図である。
【図２３】本発明の第３実施形態の変形例において、一度アクセスされた画像保存用ウェブページが表示されることを防ぐための処理の一例を示すフローチャートである。
【発明を実施するための形態】
【００３５】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３６】
（撮影画像管理システム１０）
図２は、本発明の第１実施形態に係る撮影画像管理システム１０の構成を示す図である。図２に示すように、撮影画像管理システム１０は、写真シール作成装置１（撮影編集装置）、携帯端末６（端末装置）、および管理サーバ４（サーバ）を備えている。
【００３７】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３８】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３９】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００４０】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００４１】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００４２】
画像提供サイトへの画像保存後、ユーザは、携帯端末６または所望の他の装置を用いて画像提供サイトにログインして、画像をダウンロードすることができる。
【００４３】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４４】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４５】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４６】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４７】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４８】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４９】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００５０】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００５１】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５２】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５３】
図３に示す編集部１２の構成を正面側の構成とすると、２組のユーザが同時に編集することができるように、編集部１２の正面側と背面側には編集制御に用いられる構成がそれぞれ設けられる。
【００５４】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５５】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５６】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５７】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５８】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５９】
（ユーザの移動）
写真シール作成ゲームの流れと、それに伴うユーザの移動について図５を参照して説明する。図５は、ユーザの移動について説明する図である。
【００６０】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００６１】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６２】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６３】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６４】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６５】
画像の印刷が終了したとき、ユーザは、事後接客部１３に設けられた排出口からシール紙を受け取り、一連の写真シール作成ゲームを終えることになる。
【００６６】
（各部材の構成）
次に、写真シール作成装置１に備えられる各部材の構成について説明する。
【００６７】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６８】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６９】
正面パネル４１のほぼ中央には撮影・表示ユニット８１が設けられる。撮影・表示ユニット８１は、カメラ９１、正面ストロボ９２、タッチパネルモニタ９３、およびマイク（マイクロフォン）９４から構成される。
【００７０】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００７１】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７２】
マイク９４は、撮影空間Ａ１にいるユーザの音声を電気信号に変換する。上記ユーザによって録音が指示されたときなどの所定のタイミングで、上記ユーザの音声がマイク９４を介して取得され、音声信号として保存される。
【００７３】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７４】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７５】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７６】
足元ストロボ８６の右側には、ユーザがお金を投入する硬貨投入返却口８７が設けられる。
【００７７】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７８】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７９】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００８０】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００８２】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８３】
（事後接客部１３）
編集部１２の左側には事後接客部１３が設けられる。図９は、写真シール作成装置１に備えられる事後接客部１３の構成例を示す図である。
【００８４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８５】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８６】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８７】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８８】
スピーカ１６５は、事後接客時の案内音声、ＢＧＭ、効果音等の音を出力する。
【００８９】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００９０】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００９１】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９２】
通信部２０３はインターネットなどのネットワークのインタフェースであり、制御部２０１による制御に従って外部の装置と通信を行う。
【００９３】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９４】
ＲＯＭ２０６には、制御部２０１において実行されるプログラムおよびデータが記憶されている。ＲＡＭ２０７は、制御部２０１が処理するデータおよびプログラムを一時的に記憶する。
【００９５】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９７】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９８】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９９】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１００】
カメラ９１は、制御部２０１による制御に従って撮影を行い、撮影によって得られた画像（画像）を制御部２０１に出力する。
【０１０１】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１０２】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０３】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０４】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０５】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像閲覧用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像閲覧用ページ）を携帯端末６に表示させることができる。
【０１０６】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１０７】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像閲覧用ページへ直接アクセスすることもできる。
【０１０８】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、事後接客制御部３１５、および音声取得部３１６を備えている。
【０１０９】
通信制御部３１１は、通信部２０３による外部の装置との通信を制御する。
【０１１０】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１１１】
編集制御部３１３は、編集部１２Ａおよび編集部１２Ｂによる画像に対する落書き編集等、写真シール作成ゲームにおけるユーザの編集制御に関する処理を制御する。
【０１１２】
印刷制御部３１４は、印刷部２１１によるシール紙の印刷等、写真シール作成ゲームにおけるユーザの印刷制御に関する処理を制御する。
【０１１３】
事後接客制御部３１５は、事後接客部１３による、編集作業を終了したユーザグループを接客する処理等、写真シール作成ゲームにおける事後接客に関する処理を制御する。
【０１１４】
音声取得部３１６は、写真シール作成ゲームにおけるユーザの撮影が完了した後に、マイク９４からユーザの音声を取得する処理を行う。なお、上記音声の取得は、ゲーム毎に１回、所定の時間（１〜３文程度の音声を入力可能な時間、例えば、１０秒〜３０秒程度）に限定することが望ましい。また、音声取得部３１６は、マイク９４に替えて、ユーザの所持する携帯端末６から通信部２０３を介して音声を取得するように構成されていてもよい。また、上記音声を取得する期間に、制御部２０１は、スピーカ２２４から出力するＢＧＭを、ユーザが指定したものに変更できるようにしてもよい。
【０１１５】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１６】
（制御部４０１の詳細）
図１に示すように、制御部４０１は、通信制御部４１１（取得手段）、メール作成部４１２、ウェブページ作成部４１３（判断手段、制限手段、提供手段）、画像管理部４１４、および音声管理部４１５を備えている。
【０１１７】
（通信制御部４１１）
通信制御部４１１は、通信部４０３による通信を制御する。
【０１１８】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１９】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１２０】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１２１】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１２２】
（音声管理部４１５）
音声管理部４１５は、画像提供サイトを通じてユーザに提供される音声を管理する。本実施形態では、音声管理部４１５は、写真シール作成装置１によって取得されたユーザの音声のうち、画像提供サイトに保存するようにユーザによって指示された画像が作成される際に取得された音声を所定の形式のファイル（例えば、ＷＡＶフォーマット）として、当該画像と対応付けて音声データベース４２５に保存する。
【０１２３】
また、音声管理部４１５は、音声を保存する際に、当該音声を所定の規格（例えば、ＭＰＥ（MPEG audio layer-3））に基づいて圧縮してもよい。また、音声管理部４１５は、音声を保存する際に、当該音声の編集を行ってもよい。音声の編集とは、例えば、音声のトリミング、他の音声の付加、他の音声との合成（例えば、ＢＧＭの合成）、音響効果（例えば、音声を徐々に大きくする効果であるフェードイン、音声を徐々に小さくする効果であるフェードアウト）の適用などである。
【０１２４】
（記憶部４０２の詳細）
図１に示すように、記憶部４０２は、メールデータベース４２１、会員データベース４２２、ウェブページデータベース４２３、画像データベース４２４、および音声データベース４２５を有している。
【０１２５】
（メールデータベース４２１）
メールデータベース４２１は、ユーザに送信するメールを作成するための各種データを格納している。
【０１２６】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１２７】
（ウェブページデータベース４２３）
ウェブページデータベース４２３は、携帯端末６に表示される画像提供サイトのウェブページを作成するための各種データを格納している。
【０１２８】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１２９】
（音声データベース４２５）
音声データベース４２５は、画像データベース４２４に格納された画像が写真シール作成装置１によって作成される際に取得された音声を、当該画像と対応付けて格納している。また、音声データベース４２５は、画像データベース４２４と同様に、音声が、会員データベース４２２に会員として登録されているユーザごとに区別されて格納されている。
【０１３０】
図示はしないが、記憶部４０２は、写真シール作成装置１から受信した画像などのデータを一時的に保存する一時保存データベースも有している。
【０１３１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３２】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、表示部６０５、および音声出力部６０６を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。音声出力部６０６は、スピーカなど、情報を音声出力するための装置である。
【０１３３】
（制御部６０１の詳細）
図１２に示すように、制御部６０１は、通信制御部６１１（取得手段）、入力制御部６１２、表示制御部６１３、および音声出力制御部６１４（音声出力制御手段）を備えている。
【０１３４】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。音声出力制御部６１４は、音声出力部６０６における音声の出力を制御する。たとえば、音声出力制御部６１４は、通信制御部６１１から入力された音声を、音声出力部６０６を介して出力させる。
【０１３５】
本実施形態では、通信制御部６１１は、管理サーバ４から通信部６０３を通じて受信した音声を、音声出力制御部６１４に出力する一方、記憶部６０２に保存することを禁止している。これにより、ユーザは、管理サーバ４に保存された音声の聴取を希望する場合、携帯端末６から管理サーバ４にアクセスする必要がある。その結果、管理サーバ４へのアクセス数が増加し、管理サーバ４の価値が向上することになる。
【０１３６】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１３７】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３８】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３９】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１４０】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１４１】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１４２】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１４３】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１４４】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１４５】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４６】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１４７】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４８】
（音声取得）
撮影制御部３１２は写真撮影の終了後、写真撮影が終了したことを音声取得部３１６へ通知する。通知を受けた音声取得部３１６は、撮影空間Ａ１にいるユーザに対して、撮影された画像に関連付けて保存する音声を取得することを、タッチパネルモニタ９３またはスピーカ２２４を通じて通知する。また、通知を行った音声取得部３１６は、マイク９４を通じて、撮影空間Ａ１にいるユーザの音声を取得する（ステップＳ３）。音声取得部３１６は、撮影された画像に関連付けて音声を保存するか否かを、タッチパネルモニタ９３を通じてユーザに選択させてもよい。音声取得部３１６は音声取得が完了したことを撮影制御部３１２へ通知する。
【０１４９】
写真撮影および音声取得の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１５０】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ４）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１５１】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１５２】
（写真シール印刷）
案内の終了後、印刷制御部３１４は、ユーザによって選択された画像をプリンタ２４１に出力してシール紙に印刷させる（ステップＳ５）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５３】
（事後接客）
印刷中、事後接客制御部３１５は、事後接客部１３を制御し、印刷終了待機中のユーザに対する事後接客に関する処理を制御する（ステップＳ６）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１５４】
（画像送信）
通信制御部３１１は、入力されたメールアドレス、取得された音声、および選択された画像もしくは制御部２０１が送信対象と決定した画像を、通信部２０３を通じて管理サーバ４に送信する（ステップＳ７）。このとき送信される画像には、当該画像を一義的に特定するための識別子（画像ＩＤ）、およびシールＩＤが関連付けられている。また、このとき送信される音声にも、当該シールＩＤが関連付けられている。すなわち、送信される音声と送信されるすべての画像とが関連付けられている。写真シール作成装置１から送信されたメールアドレス、音声、画像、画像ＩＤ、およびシールＩＤを、管理サーバ４の通信部４０３が受信し（ステップＳ８）、通信制御部４１１に出力する。通信制御部４１１は、受信したメールアドレス、画像ＩＤ、シールＩＤ、画像、および音声を、記憶部４０２の図示しない一時保存データベースに保存する。保存された画像などのデータは、規定の期限が経過するまで一時保存データベースに格納され続け、期限が経過すると自動的に一時保存データベースから削除される。
【０１５５】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１５６】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１５７】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ９）。
【０１５８】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１５９】
（画像保存用ウェブページの要求および送信）
携帯端末６の通信部６０３は、送信された案内メール１１０１を受信し（ステップＳ１０）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１１）。
【０１６０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６１】
通信制御部４１１は、送信されたリクエストを通信部４０３を通じて受信し（ステップＳ１２）、ウェブページ作成部４１３に出力する。ウェブページ作成部４１３は、リクエストに含まれる会員ＩＤを会員データベース４２２に照会することによって、ユーザの会員種別を判定する（ステップＳ１３）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ（画像保存用ページ）１１０３を作成する。一方、ユーザが有料会員であると判定した場合には、図１５（ｃ）に示すような、有料会員が画像を保存するためのウェブページ（画像保存用ページ）１１０７を作成する。
【０１６２】
なお、図示しないが、ユーザが無料会員および有料会員のいずれでもないと判定した場合、すなわちユーザが非会員であった場合、ウェブページ作成部４１３は、画像にアクセスすることができない旨を示すウェブページを作成する。これにより、非会員は、写真シール作成装置で作成された画像および音声を再生したり保存したりすることができない。
【０１６３】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６４】
図１５（ｃ）に示すように、ウェブページ１１０７は、一つのサムネイル画像１１０４、および、全ての画像を保存するためのリンク画像１１０８を含んでいる。
【０１６５】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１４）。
【０１６６】
（画像等の保存）
携帯端末６は、通信部６０３を通じてウェブページ１１０３を受信する（ステップＳ１５）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１６７】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１６）。
【０１６８】
送信された保存指示を、通信制御部４１１が通信部４０３を通じて受信する（ステップＳ１７）。これにより通信制御部４１１は、画像の保存を画像管理部４１４に指示する。画像管理部４１４は、この指示を受けて、一時保存データベースに格納されているユーザの画像および当該画像と関連付けられた情報（音声、画像ＩＤ、シールＩＤ）を、ユーザの会員ＩＤに関連付けて画像データベース４２４および音声データベース４２５に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１６９】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７０】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４および音声データベース４２５に、全ての画像および各画像と関連付けられた情報を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７１】
（携帯端末６における画像表示および音声再生）
以下に、画像提供サイトに保存された画像をユーザの携帯端末６において表示し、また当該画像に関連付けられて保存された音声を再生する際の処理の流れについて、図１６および図１７を参照して説明する。図１６は、撮影画像管理システム１０に係る携帯端末６における画像表示および音声再生に関する一連の処理の流れの一例を示すシーケンス図である。図１７は、携帯端末６における画像表示および音声再生に関する処理において携帯端末６の表示部６０５に表示されるウェブページの一例を示す図である。
【０１７２】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１７３】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１７４】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１７５】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１７６】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１７７】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１７８】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１７９】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８０】
ユーザは、携帯端末６の入力部６０４を操作することによって、表示中のサムネイル画像１０４２のうち、携帯端末６にて閲覧したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像を閲覧することのできるウェブページを求めるリクエストを、通信部６０３を通じて管理サーバ４に送信する。
【０１８１】
管理サーバ４の通信制御部４１１は、通信部４０３を通じて、送信されたリクエストを受信する（ステップＳ３０）。次に通信制御部４１１は、携帯端末６によって選択されたサムネイル画像１０４２に対応するユーザの画像を閲覧することのできるウェブページを通信制御部４１１に出力するように、ウェブページ作成部４１３に指示する。
【０１８２】
ウェブページ作成部４１３は、サムネイル画像１０４２に対応する画像を画像データベース４２４から取得する。続いて、ウェブページ作成部４１３は、当該画像を表示する領域である画像表示領域１０５２および当該画像と関連付けられた音声（以下、関連音声と称する。）を再生するためのリンク画像１０５３を含む図１７の（ｄ）に示される画像表示ページ１０５１を作成する（ステップＳ３１）。
【０１８３】
ウェブページ作成部４１３は、作成された画像表示ページ１０５１を通信制御部４１１に出力する。通信制御部４１１は、通信部４０３を通じて、入力された画像表示ページ１０５１を携帯端末６に送信する（ステップＳ３２）。
【０１８４】
携帯端末６の通信制御部６１１は、通信部６０３を通じて、送信された画像表示ページ１０５１を受信する。通信制御部６１１は、受信した画像表示ページ１０５１を、表示制御部６１３を通じて、表示部６０５に表示させる（ステップＳ３３）。
【０１８５】
ユーザは、携帯端末６の入力部６０４を操作することによって、画像表示ページ１０５１におけるリンク画像１０５３を選択する（ステップＳ３４）。入力制御部６１２が、この選択操作を受け付けて、リンク画像１０５３が選択されたことを通信制御部６１１に通知する。これにより通信制御部６１１は、画像表示領域１０５２にサムネイルが表示されている画像の関連音声を求めるリクエストを、通信部６０３を通じて管理サーバ４に送信する。
【０１８６】
管理サーバ４の通信制御部４１１は、通信部４０３を通じて、送信されたリクエストを受信する（ステップＳ３５）。次に通信制御部４１１は、携帯端末６から提供を求められた音声を通信制御部４１１に出力するように、音声管理部４１５に指示する。
【０１８７】
音声管理部４１５は、指示された音声を音声データベース４２５から取得し、通信制御部４１１に出力する。通信制御部４１１は、通信部４０３を通じて、入力された音声を携帯端末６に送信する（ステップＳ３６）。
【０１８８】
携帯端末６の通信制御部６１１は、通信部６０３を通じて、送信された音声を受信する。通信制御部６１１は、受信した音声を、音声出力制御部６１４を通じて、音声出力部６０６によって出力させる（ステップＳ３７）。なお、ステップＳ３７における、通信制御部６１１が受信した音声の出力は、当該音声を最後まで出力した場合、停止してもよいし、初めに戻って、繰り返し再生してもよい。さらに、画像表示ページ１０５１が表示されている間、当該音声を繰り返し再生してもよい。
【０１８９】
このとき、受信した音声を記憶部６０２に保存することは、通信制御部６１１によって禁止されている。
【０１９０】
なお、上述の説明では、携帯端末６が画像提供サイトへログインすることにより画像を表示し、また、当該画像と対応付けられた音声を出力する構成を例に挙げて説明したが、本実施形態では、シールＩＤを用いて画像を表示し、また当該シールＩＤと対応付けられた音声を再生することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像閲覧用ページにアクセスする。
【０１９１】
このとき、画像閲覧用ページは、ユーザが有料会員である場合にはシールＩＤにより特定される画像であって１ゲーム中に生成された全ての画像のサムネイルをユーザが選択可能に一覧表示し、ユーザが無料会員である場合にシールＩＤにより特定される全画像のうち１枚の画像のサムネイルのみをユーザが選択可能に一覧表示してもよい。また、画像閲覧用ページは、ユーザが無料会員である場合には、写真シール作成装置１において予め選択されている１枚の画像のサムネイルのみを表示してもよい。なお、画像閲覧用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９２】
携帯端末６は、画像閲覧用ページにおいて一覧表示されている画像のうち、ユーザにより選択された画像を表示するためのウェブページを管理サーバ４から取得し、取得した画像表示ページ１０５１を表示部６０５に表示する。ただし、当該画像を表示するためのウェブページは、画像表示ページ１０５１とは異なり、リンク画像１０５３を含まない。よって、当該画像を表示するためのウェブページにおいては関連音声を再生することはできない。
【０１９３】
上記の構成によれば、非会員（無料会員および有料会員ではないユーザ）は、写真シール作成装置１で録音された音声（関連音声）を、自身の携帯端末６にて再生することができない。従って、関連音声を聴取することを希望するユーザは、有料会員または無料会員になる可能性が高く、その結果、上記会員数を増加させることができる。
【０１９４】
また、上記の構成によれば、携帯端末６のユーザは、写真シール作成装置１にて提供された識別情報（画像ＩＤまたはシールＩＤ）を、携帯端末６から管理サーバ４に送信することにより、当該識別情報に関連付けられた音声のデータを管理サーバ４から携帯端末６に受信することができる。従って、ユーザは、上記端末装置にて、上記音声を再生することができる。
【０１９５】
これにより、上記識別情報に関連付けられた音声、すなわち写真シール作成装置１にて作成された画像の関連音声の聴取を希望する人は、当該音声に関連付けられた上記識別情報を、写真シール作成装置１から直接取得したり、直接取得したユーザから、第三者および／または媒体（通信媒体、印刷媒体など）を介して間接的に取得したりすることにより、当該音声を聴取することができる。その結果、管理サーバ４へのアクセス数が増加し、管理サーバ４の価値が向上することになる。
【０１９６】
〔変形例〕
上記実施形態においては、図１４のステップＳ３に示す音声取得に係る処理を、写真シール作成装置１が実行する構成について説明したが、本発明における音声取得に係る当該処理を携帯端末６が行うように撮影画像管理システム１０を構成してもよい。
【０１９７】
具体的には、例えば、同図のステップＳ１５に示す処理の実行後、同図のステップＳ１６に示す処理の実行前に、ステップＳ３に示す音声取得に係る処理を携帯端末６において行うように撮影画像管理システム１０を構成してもよい。この場合、同図のステップＳ１５に示す処理の実行後に携帯端末６によって取得された音声は、同図のステップＳ１６に示す保存指示を送信する処理において、携帯端末６から管理サーバ４へ送信される。また、同図のステップＳ１７に示す処理において、管理サーバ４は、保存指示された画像と関連付けられたシールＩＤおよび画像ＩＤと取得された音声とを関連付けて、音声データベース４２５へ保存する。
【０１９８】
また、上記実施形態においては、１回のゲームごとに音声を取得し、取得された音声とシールＩＤとを関連付ける構成について説明したが、１回の撮影ごとに音声を取得し、取得された音声と画像ＩＤとを関連付けてもよい。
【０１９９】
上記の構成によれば、撮影された画像ごとに音声を記録することができる。
【０２００】
〔実施形態２〕
本発明の他の実施形態について、図１８および図１９を参照して以下に説明する。
【０２０１】
まず、本実施形態に係る管理サーバ４Ａと、実施形態１に係る管理サーバ４との差異を図１８に基づいて説明する。図１８は本実施形態に係る管理サーバ４Ａの要部構成を示すブロック図である。
【０２０２】
管理サーバ４Ａは、管理サーバ４に比べて、制御部４０１および記憶部４０２に替えて、制御部４０１Ａおよび記憶部４０２Ａを備える点が異なる。制御部４０１Ａは、制御部４０１に比べて、ウェブページ作成部４１３および音声管理部４１５に替えてウェブページ作成部４１３Ａおよび音声管理部４１５Ａを備え、アクセス制御部４１６（判断手段、制限手段）をさらに備える点が異なる。また、記憶部４０２Ａは、記憶部４０２に比べて、会員データベース４２２および音声データベース４２５に替えて会員データベース４２２Ａおよび音声データベース４２５Ａを備える点が異なる。
【０２０３】
（ウェブページ作成部４１３Ａ）
ウェブページ作成部４１３Ａは、図１６のステップＳ３１に示す画像表示ページ１０５１を作成する処理において、画像表示ページ１０５１にサムネイルが表示される画像の関連音声を再生するためのＵＲＬを、アクセス制御部４１６に要求する。また、ウェブページ作成部４１３Ａは、アクセス制御部４１６から音声を再生するためのＵＲＬが得られた場合のみ、リンク画像１０５３を画像表示ページ１０５１に含める。以上の処理を行う点がウェブページ作成部４１３と異なる。この処理により、アクセス制御部４１６が音声を再生するためのＵＲＬの生成した場合のみ、ユーザは画像表示ページ１０５１から音声を再生することができる。
【０２０４】
（音声管理部４１５Ａ）
音声管理部４１５Ａは、音声を音声データベース４２５Ａに保存する際に、当該音声が生成された日時を当該音声に関連付けて音声データベース４２５Ａに保存する。
【０２０５】
（アクセス制御部４１６）
アクセス制御部４１６は、音声データベース４２５Ａに保存された音声を再生するためのＵＲＬを作成するか否かによって、当該音声へのアクセス制御を行う。詳細は後述する。
【０２０６】
（会員データベース４２２Ａ）
会員データベース４２２Ａは、会員データベース４２２に格納されている情報に加えて、会員が有料会員であった期間を格納している。
【０２０７】
（音声データベース４２５Ａ）
音声データベース４２５Ａは、音声データベース４２５Ａに格納されている情報に加えて、音声データベース４２５Ａに格納された音声が作成された日時を当該音声と関連付けて格納している。
【０２０８】
（会員種別に応じて音声の再生を制御する処理）
実施形態１と本実施形態とは、図１６のステップＳ３１に示す画像表示ページ１０５１を作成する処理が異なる。以下に、当該処理における実施形態１と、本実施形態との差異である会員種別に応じて関連音声を再生するためのリンク画像の生成を制御する処理について図１９に基づいて説明する。図１９は、会員種別に応じて関連音声を再生するためのリンク画像の生成を制御する一連の処理を示すフローチャートである。
【０２０９】
まず、ウェブページ作成部４１３Ａは、関連音声を再生するためＵＲＬをアクセス制御部４１６へ要求する（ステップＳ４１）。当該要求を受け付けたアクセス制御部４１６は、音声データベース４２５Ａから、関連音声の作成日時を取得する。アクセス制御部４１６は、関連音声の作成日時から当該処理が行われている時点までの間に所定の期間（例えば１週間）が経過したか否かを判定する（ステップＳ４２）。
【０２１０】
関連音声の作成日時から当該処理が行われている時点までの間に所定の期間が経過していた場合（ステップＳ４２でＹＥＳ）、アクセス制御部４１６は、図１６のステップＳ２２に示す処理においてログインを受け付けたユーザ（以下、ログインしたユーザと称する。）が、音声作成から所定の期間が経過するまでの間に有料会員であったことがあるかを、会員データベース４２２Ａを参照することによって判定する（ステップＳ４３）。
【０２１１】
ログインしたユーザが、音声作成から所定の期間が経過するまでの間に有料会員であったことが無かった場合（ステップＳ４３でＮＯ）、アクセス制御部４１６は、関連音声を再生するＵＲＬを作成しない旨をウェブページ作成部４１３Ａへ通知する。この場合、ウェブページ作成部４１３Ａは、関連音声を再生するためのリンク画像１０５３を含まない画像表示ページ１０５１を作成する。このとき、ウェブページ作成部４１３Ａは、関連音声を再生できない旨のメッセージを画像表示ページ１０５１に含めてもよい。
【０２１２】
一方、関連音声の作成日時から当該処理が行われている時点までの間に所定の期間が経過していなかった場合（ステップＳ４２でＮＯ）、およびログインしたユーザが、音声作成から所定の期間が経過するまでの間に有料会員であったことがあった場合（ステップＳ４３でＹＥＳ）、アクセス制御部４１６は、画像データベース４２４を参照することによって、関連音声を再生するためのＵＲＬを作成する（ステップＳ４４）。アクセス制御部４１６は、当該ＵＲＬをウェブページ作成部４１３Ａへ出力する。
【０２１３】
続いて、ウェブページ作成部４１３Ａは、アクセス制御部４１６から出力されたＵＲＬへアクセスするためのリンク画像、すなわち関連音声を再生するためのリンク画像１０５３を生成する（ステップＳ４５）。この場合、ウェブページ作成部４１３Ａは、リンク画像１０５３を含む画像表示ページ１０５１を作成する。
【０２１４】
上記の構成によれば、非会員の場合、自身の端末にて関連音声を再生することができず、無料会員の場合、関連音声の作成時から所定期間を経過すると、自身の端末にて関連音声を再生することができない。一方、有料会員は、いつでも自身の端末にて関連音声を再生することができる。
【０２１５】
すなわち、非会員、無料会員、および有料会員の順で、関連音声に係る制限が緩和される。そのため、関連音声を聴取することを希望するユーザは、有料会員になる可能性が高く、その結果、有料会員の会員数を増加させることができる。これにより、上記サービスによる収益が増大する。
【０２１６】
〔変形例〕
上記実施形態において、音声作成日時の替わりに、音声を管理サーバ４Ａが受信した日時を利用してもよい。
【０２１７】
また、上記実施形態において、会員が、当該会員が作成したものではないシールに係るデータ（画像データ・音声データ）を、当該会員が作成したシールに係るデータと同様に、画像データベース４２４および音声データベース４２５に保存可能に撮影画像管理システム１０を構成してもよい。以下に上記構成の一例について下記に説明する。
【０２１８】
管理サーバ４は、画像表示ページ１０５１において表示されている画像と関連付けられたシールＩＤを、会員が他の会員に送信するためのユーザインターフェースを画像表示ページ１０５１に含める。ユーザが上記ユーザインターフェースによって、シールＩＤを他の会員に送信した場合、管理サーバ４にその旨を記録する。また、管理サーバ４は、シールＩＤを送信された会員の画像一覧ページ１０４１に当該シールＩＤと対応付けられた画像のサムネイルを表示する。当該サムネイルがユーザによって選択された場合、管理サーバ４は、当該シールＩＤに係るデータを保存するか否かを選択することのできるユーザインターフェースを含んだ画像表示ページ１０５１を表示する。当該ユーザインターフェースによって、当該シールＩＤに係るデータを保存することをユーザが選択した場合、管理サーバ４は、当該シールＩＤに係るデータを、当該会員が作成したシールに係るデータと同様に、画像データベース４２４および音声データベース４２５に保存する。
【０２１９】
上記の構成によれば、会員が他の会員からシールＩＤを受け取った場合に、当該シールＩＤに係るデータを当該会員が作成したシールに係るデータと同様に、画像データベース４２４および音声データベース４２５に保存することができる。よって、当該シールＩＤを受け取ったユーザが、当該シールＩＤに係る画像が作成されてから所定の期間が経過するまでの間に有料会員となれば、当該シールＩＤを受け取ったユーザは所定の期間が経過した後であっても関連音声を聴取することができる。これにより、画像提供サイトへのアクセスの増加および有料会員の増加が見込まれる。
【０２２０】
また、上記の例では会員が他の会員にシールＩＤを送る例について説明したが、管理サーバ４の管理者が特定のシールＩＤ、例えば芸能人が撮影された画像および当該芸能人の音声と関連付けられたシールＩＤを会員に送ることができるように管理サーバ４を構成してもよい。
【０２２１】
また、シールＩＤを送る側の会員によって、当該シールＩＤを受け取る側の会員の誕生日などの特定の日に、当該シールＩＤを受け取ることができるように、管理サーバ４を構成してもよい。
【０２２２】
また、上記各実施形態において、図１４のステップＳ７において送信されたメールアドレスが、同図のステップＳ１３に示す処理において判定された会員のメールアドレスであるか否かに応じて、同図のステップＳ１８において画像を保存する画像データベースにおけるフォルダを変更してもよい。また、フォルダを変更することに替えて、それぞれ異なるキーワードを保存される画像に対して設定してもよい。
【０２２３】
上記の構成によれば、会員自身が作成した画像と会員とは異なるユーザが作成した画像とを区別することができる。
【０２２４】
〔実施形態３〕
本発明のさらに他の実施形態について、図２０から図２２を参照して以下に説明する。
【０２２５】
まず、本実施形態に係る管理サーバ４Ｂと、実施形態１に係る管理サーバ４との差異を図２０に基づいて説明する。図２０は本実施形態に係る管理サーバ４Ｂの要部構成を示すブロック図である。
【０２２６】
管理サーバ４Ｂは、管理サーバ４に比べて、制御部４０１および記憶部４０２に替えて、制御部４０１Ｂおよび記憶部４０２Ｂを備える点が異なる。制御部４０１Ｂは、制御部４０１に比べて、通信制御部４１１およびウェブページ作成部４１３に替えて通信制御部４１１Ｂおよびウェブページ作成部４１３Ｂを備える点が異なる。また、記憶部４０２Ｂは、記憶部４０２に比べて、ウェブページデータベース４２３に替えてウェブページデータベース４２３Ｂを備える点が異なる。
【０２２７】
（通信制御部４１１Ｂ）
通信制御部４１１は、通信制御部４１１Ｂに比べて、写真シール作成装置１から受信したメールアドレス、画像ＩＤ、シールＩＤ、画像、および音声に加えて、発信元の写真シール作成装置１の識別情報である装置ＩＤを当該画像に対応付けて、記憶部４０２の図示しない一時保存データベースに保存する点が異なる。
【０２２８】
また、通信制御部４１１Ｂは、図１４のステップＳ９に示す案内メールを送信するための処理を行うことに替えて、携帯端末６からの要求に応じて、各写真シール作成装置１と対応するシールＩＤを入力するためページ（以下、シールＩＤ入力ページと称する。）を、ウェブページ作成部４１３Ｂに作成させる点、およびシールＩＤ入力ページにおいてシールＩＤが入力された場合に、入力されたシールＩＤと対応付けられた画像を保存するためのウェブページ１１０３をウェブページ作成部４１３Ｂに作成させる点も、通信制御部４１１と異なる。詳細は後述する。
【０２２９】
（ウェブページ作成部４１３Ｂ）
ウェブページ作成部４１３Ｂは、ウェブページ作成部４１３に比べて、装置別ページ情報４２６に基づいて、シールＩＤを入力するためのウェブページを作成する点が異なる。
【０２３０】
（ウェブページデータベース４２３Ｂ）
ウェブページデータベース４２３Ｂは、ウェブページデータベース４２３に比べて、各写真シール作成装置１と対応するシールＩＤ入力ページを作成するための情報である装置別ページ情報４２６を含む点が異なる。
【０２３１】
（実施形態１との写真シール作成装置１の差異について）
また、図示しないが、実施形態１に係る写真シール作成装置１と、本実施形態に係る写真シール作成装置１とは、管理サーバ４Ｂへ、画像、音声およびメールアドレスに加えて写真シール作成装置１と対応する装置ＩＤを送信する点が異なる。
【０２３２】
（実施形態１との事後接客後の処理の差異）
実施形態１との事後接客後の処理の差異について、図２１および図２２に基づいて説明する。図２１は、本実施形態に係る撮影画像管理システム１０における写真撮影から管理サーバへ撮影した画像に係る情報を送受信するまでの一連の処理の流れの一例を示すシーケンス図である。また、図２２は、本実施形態に係る撮影画像管理システム１０における携帯端末６へ画像保存用ウェブページを表示させるための一連の処理の流れの一例を示すシーケンス図である。
【０２３３】
まず、図２１に基づいて、撮影画像管理システム１０における写真撮影から管理サーバへ撮影した画像に係る情報を送受信するまでの一連の処理の流れを説明する。
【０２３４】
本実施形態に係る写真シール作成装置１は、ステップＳ５に示す事後接客に係る処理を行った後に、撮影された画像、取得された音声、およびシールＩＤに加えて写真シール作成装置１と対応する装置ＩＤを、通信部２０３を通じて管理サーバ４Ｂに送信する（ステップＳ６Ｂ）。
【０２３５】
管理サーバ４Ｂの通信制御部４１１Ｂは、写真シール作成装置１から送信されたメールアドレス、音声、画像、画像ＩＤ、シールＩＤ、および装置ＩＤを、管理サーバ４Ｂの通信部４０３が受信し（ステップＳ７Ｂ）、通信制御部４１１Ｂに出力する。通信制御部４１１Ｂは、受信したメールアドレス、音声、画像、画像ＩＤ、シールＩＤ、および装置ＩＤを、記憶部４０２の図示しない一時保存データベースに保存し、処理を終了する。
【０２３６】
なお、上記の処理において、写真シール作成装置１は、装置ＩＤおよびシールＩＤに替えて、装置ＩＤとシールＩＤが連結された一つのＩＤを用いて処理を行ってもよい。この場合、ステップＳ６Ｂに示す処理において、写真シール作成装置１は、装置ＩＤおよびシールＩＤに替えて、装置ＩＤとシールＩＤが連結された一つのＩＤを送信すればよい。また、管理サーバ４Ｂは、上記連結された一つのＩＤを装置ＩＤおよびシールＩＤに分離した後に、ステップＳ７Ｂに示す処理を実行すればよい。
【０２３７】
次に、図２２に基づいて、図２１に示す処理が終了した後に、図２１に示す処理において撮影された画像を保存するためのウェブページを、携帯端末６へ表示するための処理について説明する。
【０２３８】
図２１に示す処理において用いられた特定の写真シール作成装置１と対応するシールＩＤ入力ページへ、ユーザの操作に基づいて携帯端末６がアクセスする（ステップＳ５１）。すなわち、シールＩＤ入力ページを要求するための、写真シール作成装置１を特定する情報を含むリクエストを、通信部６０３を通じて管理サーバ４に送信する。
【０２３９】
通信制御部４１１Ｂは、送信されたリクエストを、通信部４０３を通じて受信する（ステップＳ５２）。次に通信制御部４１１Ｂは、リクエストに含まれる情報と対応するシールＩＤ入力ページの作成を、ウェブページ作成部４１３Ｂに指示する。指示を受けたウェブページ作成部４１３Ｂは、写真シール作成装置１と対応するシールＩＤ入力ページを生成するためのデータを、ウェブページデータベース４２３Ｂから取得する。ウェブページ作成部４１３Ｂは、取得したデータを用いることによって、シールＩＤ入力ページを生成し、通信制御部４１１Ｂに出力する。通信制御部４１１Ｂは、通信部４０３を通じてシールＩＤ入力ページを携帯端末６に送信する（ステップＳ５３）。
【０２４０】
携帯端末６の通信制御部６１１は、通信部６０３を通じて、送信されたシールＩＤ入力ページを受信する。通信制御部６１１は、受信したシールＩＤ入力ページを、表示制御部６１３を通じて、表示部６０５に表示させる（ステップＳ５４）。
【０２４１】
ユーザは、携帯端末６の入力部６０４を操作することによって、シールＩＤを入力する（ステップＳ５５）。携帯端末６は、入力されたシールＩＤと対応付けられた画像を保存するためのページを要求するリクエストに、記憶部６０２に格納されているユーザの会員ＩＤを含めて、通信部６０３を通じて管理サーバ４に送信する。
【０２４２】
通信制御部４１１Ｂは、送信されたリクエストを通信部４０３を通じて受信する（ステップＳ５６）。
【０２４３】
上述の処理により、通信制御部４１１Ｂは、図１４のステップＳ１２に示す処理おける通信制御部４１１と同様の情報（シールＩＤ、ユーザの会員ＩＤ）を含む携帯端末６からリクエストを得ている。以下、図１４のステップＳ１３およびステップＳ１４に示す処理と同様の処理により、管理サーバ４Ｂは、画像保存用ウェブページを携帯端末６へ送信する（ステップＳ５７）。また、携帯端末６は、図１４のステップＳ１５に示す処理と同様の処理により、画像保存用ウェブページを表示する（ステップＳ５８）。
【０２４４】
上記の構成によれば、シールＩＤは、写真シール作成装置１が作成したデータを識別するものであればよいので、写真シール作成装置１と同様の全ての写真シール作成装置が作成したデータを識別するための従来のシールＩＤに比べて短いＩＤとすることができる。そのため、従来の場合と比較して、ユーザがシールＩＤを入力する手間を軽減することができる。
【０２４５】
〔変形例〕
上記実施形態において、管理サーバ４Ｂは、発信元の写真シール作成装置１の識別情報として、装置ＩＤの替わりにインスタントメッセンジャのアカウントを利用してもよい。
【０２４６】
すなわち、管理サーバ４Ｂは、ＬＩＮＥ（商標）などのインスタントメッセンジャのアカウントを写真シール作成装置１ごとに有しており、ユーザは、携帯端末６が有するアカウントを利用して、上記インスタントメッセンジャを介して、該当する写真シール作成装置１と対応するアカウントにシールＩＤを送信する。このとき、管理サーバ４Ｂは、送信元のアカウントから会員種別を特定し、特定した会員種別に応じて、上記シールＩＤと対応付けられた画像を、上記インスタントメッセンジャを介して上記送信元のアカウントに送信する。これにより、ユーザは、携帯端末６にて上記画像を閲覧することができる。
【０２４７】
上記実施形態において、画像を表示または保存するために用いられたシールＩＤによっては、再度表示または保存を行うことができないように撮影画像管理システム１０を構成してもよい。
【０２４８】
当該構成の具体的な処理の一例について、図２３に基づいて説明する。図２３は、一度アクセスされた画像保存用ウェブページが表示されることを防ぐための処理の一例を示すフローチャートである。なお、当該構成においては、記憶部４０２Ｂには、管理サーバ４Ｂへのリクエストの発信元のウェブページの情報（リファラ）および当該リクエストに含まれるパラメータがアクセスログとして記録されている。
【０２４９】
図２２のステップＳ５６に示す処理において、受け付けられたリクエストに含まれているシールＩＤおよびステップＳ５３に示す処理において作成したシールＩＤ入力ページと対応する写真シール作成装置１が同一であるアクセスログがあるか否かを判定する。すなわち、同一の写真シール作成装置から発行された同一のシールＩＤによるアクセスログがあるか否かを判定する（ステップＳ６１）。
【０２５０】
同一の写真シール作成装置から発行された同一のシールＩＤによるアクセスログがなかった場合（ステップＳ６１のＮＯ）、管理サーバ４Ｂは、画像保存用ウェブページを生成し（ステップＳ６２）、アクセスログを記録する（ステップＳ６３）。
【０２５１】
一方、同一の写真シール作成装置から発行された同一のシールＩＤによるアクセスログがあった場合（ステップＳ６１のＹＥＳ）、管理サーバ４Ｂは、画像保存用ウェブページを作成することなく処理を終了する。
【０２５２】
上記の構成によれば、画像保存用ウェブページを表示するために、一度利用されたシールＩＤは再利用できないので、シールＩＤが短いために第三者が容易にアクセスできるという問題点を回避することができる。
【０２５３】
なお、画像を表示または保存するために用いられたシールＩＤによっては、再度表示または保存を保存することができないようにするための構成は、上記の構成に限られない。
【０２５４】
例えば、ウェブページ作成部４１３Ｂが一時保存データベースから読み出したデータ
を、一時保存データベースから削除するように構成してもよい。
【０２５５】
また、図２２に示す処理を実行する撮影画像管理システム１０においても、音声を繰り返し再生することは妨げられない。すなわち、図２２に示す処理を実行する撮影画像管理システム１０は、ステップＳ３７に示す処理において、音声を繰り返し再生することが可能なようには構成されていてもよい。
【０２５６】
また、図２２に示す処理を実行する撮影画像管理システム１０において、画像保存用ページに、当該画像保存用ページにおいて保存することのできる画像の関連音声を再生するためのリンク画像を付加してもよい。これにより、会員であるか非会員であるかに関係無く、上記関連音声を１回のみ再生することができる。なお、この場合であっても、当該画像保存用ページが表示されている間に、関連音声を繰り返し再生することは妨げられない。
【０２５７】
上記の構成によれば、非会員の場合、自身の携帯端末６にて関連音声を１回しか再生することができず、無料会員の場合、関連音声の作成時から所定期間を経過すると、自身の携帯端末６にて関連音声を再生することができない。一方、有料会員は、いつでも自身の携帯端末６にて関連音声を再生することができる。すなわち、上記の構成をとる場合であっても、非会員、無料会員、および有料会員の順で、関連音声に係る制限が緩和される。
【０２５８】
また、シールＩＤが利用可能な期間が、所定の期間（例えば、１時間、１分間など）となるように撮影画像管理システム１０を構成してもよい。具体的には、例えば、通信制御部４１１ＢがシールＩＤを一時保存データベースへ記録する際に、当該シールＩＤを取得した時間を記録し、記録された時間から上記所定の時間が経過した場合に、当該シールＩＤおよび関連付けられたデータを一時保存データベースから削除するように構成してもよい。
【０２５９】
上記の構成によれば、シールＩＤを利用できる期間が限定されるので、第三者が容易にアクセスできるという上記問題点を回避することができる。さらに、上記所定の期間から十分に長い期間（例えば、１週間、１日など）が経過した後は、利用済みのシールＩＤを再び利用しても、上記問題点が発生する可能性が低くなる。従って、シールＩＤというリソースを有効に利用することができる。
【０２６０】
また、上記実施形態において、音声に係る構成を省略してもよい。
【０２６１】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２６２】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２６４】
本発明は、写真シール作成装置において作成されたユーザの撮影画像を管理サーバに保存する撮影画像管理システムとして、幅広く利用することができる。
【符号の説明】
【０２６５】
１  写真シール作成装置（撮影編集装置）
４、４Ａ、４Ｂ  管理サーバ（サーバ）
６  携帯端末（端末装置）
１０  撮影画像管理システム
１１  撮影ユニット
１２  編集部
１３  事後接客部
２１  撮影部
９４  マイク
２０１  制御部
２０２  記憶部
２０３  通信部
３１１  通信制御部
３１２  撮影制御部
３１３  編集制御部
３１４  印刷制御部
３１５  事後接客制御部
３１６  音声取得部
４０１、４０１Ａ、４０１Ｂ  制御部
４０２、４０２Ａ、４０２Ｂ  記憶部
４０３  通信部
４１１、４１１Ｂ  通信制御部（取得手段）
４１２  メール作成部
４１３、４１３Ａ、４１３Ｂ  ウェブページ作成部（判断手段、制限手段、提供手段）
４１４  画像管理部
４１５、４１５Ａ  音声管理部
４１６  アクセス制御部（判断手段、制限手段）
６０１  制御部
６０２  記憶部
６０３  通信部
６０４  入力部
６０５  表示部
６０６  音声出力部
６１１  通信制御部（取得手段）
６１２  入力制御部
６１３  表示制御部
６１４  音声出力制御部（音声出力制御手段）
【図１】
2015207114.tif 000003
【図２】
2015207114.tif 000004
【図３】
2015207114.tif 000005
【図４】
2015207114.tif 000006
【図５】
2015207114.tif 000007
【図６】
2015207114.tif 000008
【図７】
2015207114.tif 000009
【図９】
2015207114.tif 000010
【図１０】
2015207114.tif 000011
【図１１】
2015207114.tif 000012
【図１２】
2015207114.tif 000013
【図１３】
2015207114.tif 000014
【図１４】
2015207114.tif 000015
【図１５】
2015207114.tif 000016
【図１６】
2015207114.tif 000017
【図１７】
2015207114.tif 000018
【図１８】
2015207114.tif 000019
【図１９】
2015207114.tif 000020
【図２０】
2015207114.tif 000021
【図２１】
2015207114.tif 000022
【図２２】
2015207114.tif 000023
【図２３】
2015207114.tif 000024
【図８】
2015207114.tif 000025